(57)【要約】【課題】  内容物を視認しやすく、かつ取りやすい食品容器を提供する。【解決手段】  本考案の一例の食品容器Ｆは、円形の開口部２ａを有する半球の一部が切り欠かれてなる側面部２と、切り欠かれた部分を覆うように形成された円形でかつ平面状の底面部３と、を有する容器本体１を備えており、底面部３を含む仮想平面と円形の開口部２ａを含む仮想平面とが所定角度をなして交わるよう構成されている。【選択図】  図１
0003219109.tif 000002
【実用新案登録請求の範囲】
【請求項１】
円形の開口部を有する半球の一部が切り欠かれてなる側面部と、前記切り欠かれた部分を覆うように形成された円形でかつ平面状の底面部と、を有する容器本体を備えており、
前記底面部を含む仮想平面と前記円形の開口部を含む仮想平面とが所定角度をなして交わるよう構成された、
食品容器。
【請求項２】
前記開口部の外周縁部から外側に延出するように設けられたフランジをさらに備えた、
請求項１に記載の食品容器。
【請求項３】
前記容器本体に内容物が収容された状態で、前記フランジに取り付けられて前記開口部を塞ぐ蓋をさらに備えた、
請求項２に記載の食品容器。
【請求項４】
前記底面部を含む仮想平面と前記円形の開口部を含む仮想平面とのなす所定角度が３０度または略３０度である、
請求項１〜３のいずれかに記載の食品容器。
【請求項５】
前記底面部に外側へ突出する突出部が３個以上設けられた、
請求項１〜４のいずれかに記載の食品容器。
【請求項６】
前記容器本体が透明または半透明である、
請求項１〜５のいずれかに記載の食品容器。
【考案の詳細な説明】
【技術分野】
【０００１】
本考案は、食品容器に関する。
【背景技術】
【０００２】
従来から、例えばナッツ（アーモンド、クルミ、カシューナッツ、ピーナッツ等）等の食品は、その風味や品質を維持するため密封容器等に入れられて販売されている。例えば、特許文献１には、ナッツ類等を箱状の容器内に密封包装した構成が記載されている。
【先行技術文献】
【特許文献】
【０００３】
【特許文献１】実用新案登録第３０５８０７１号公報
【考案の概要】
【考案が解決しようとする課題】
【０００４】
上記特許文献１の構成では、容器内の内容物を視認しやすくしたり、取りやすくする点についてはあまり考慮されておらず改善の余地がある。
【０００５】
本考案は上記のような課題を解決するためになされたもので、内容物を視認しやすく、かつ取りやすい食品容器を提供することを目的としている。
【課題を解決するための手段】
【０００６】
上記目的を達成するために、本考案のある態様に係る食品容器は、円形の開口部を有する半球の一部が切り欠かれてなる側面部と、前記切り欠かれた部分を覆うように形成された円形でかつ平面状の底面部と、を有する容器本体を備えており、前記底面部を含む仮想平面と前記円形の開口部を含む仮想平面とが所定角度をなして交わるよう構成されている。
【０００７】
この構成によれば、開口部が底面部に対して傾斜しているので、容器本体に収容される内容物（食品）を食べる人が、開口部を自分の方に向けることで、内容物を視認しやすく、かつ取りやすい。
【０００８】
なお、本明細書及び実用新案登録請求の範囲において、「円形」には「略円形」も含まれ、「半球」には「略半球」も含まれる。
【０００９】
上記食品容器において、前記開口部の外周縁部から外側に延出するように設けられたフランジをさらに備えていてもよい。
【００１０】
上記食品容器において、前記容器本体に内容物が収容された状態で、前記フランジに取り付けられて前記開口部を塞ぐ蓋をさらに備えていてもよい。
【００１１】
上記食品容器において、前記底面部を含む仮想平面と前記円形の開口部を含む仮想平面とのなす所定角度が３０度または略３０度であってもよい。
【００１２】
上記食品容器において、前記底面部に外側へ突出する突出部が３個以上設けられていてもよい。この構成によれば、例えば、食品容器を布等の柔らかいテーブルクロス等の上に置く場合には、突出部がテーブルクロス等の表面にめり込むことにより、食品容器が安定しやすくなる。
【００１３】
上記食品容器において、前記容器本体が透明または半透明であってもよい。
【考案の効果】
【００１４】
本考案は、以上に説明した構成を有し、内容物を視認しやすく、かつ取りやすい食品容器を提供することができるという効果を奏する。
【図面の簡単な説明】
【００１５】
【図１】図１は、本実施形態における一例の食品容器の斜視図である。
【図２】図２（Ａ）は、図１に示す食品容器をその開口面に対して垂直方向から視た図であり、図２（Ｂ）は、図２（Ａ）の食品容器を一方向から視た側面図であり、図２（Ｃ）は、図２（Ａ）の食品容器を他方向から視た側面図である。
【図３】図３は、図１に示す食品容器の他の使用例を示す側面図である。
【考案を実施するための形態】
【００１６】
以下、本考案の好ましい実施の形態を、図面を参照しながら説明する。なお、以下では全ての図面を通じて同一又は相当する要素には同一の参照符号を付して、その重複する説明を省略する。また、本考案は、以下の実施形態に限定されない。
【００１７】
（実施形態）
図１は、本実施形態における一例の食品容器の斜視図である。また、図２（Ａ）は、図１に示す食品容器をその開口面に対して垂直方向から視た図であり、図２（Ｂ）は、図２（Ａ）の食品容器を一方向から視た側面図であり、図２（Ｃ）は、図２（Ａ）の食品容器を他方向から視た側面図である。図３は、図１に示す食品容器の他の使用例を示す側面図である。
【００１８】
本実施形態の一例の食品容器Ｆについて、まず、図１及び図２に基づいて（必要に応じて図３を参照して）説明する。
【００１９】
この食品容器Ｆは、容器本体１とフランジ４とを備えた樹脂製の容器である。図１では、食品容器Ｆにナッツ等の食品である内容物Ｍが入れられた状態が示されているが、図２では、内容物Ｍは図示されず、食品容器Ｆのみが図示されている。
【００２０】
容器本体１は、円形の開口部２ａを有する半球の一部が切り欠かれてなる側面部２と、この切り欠かれた部分を覆うように形成された円形でかつ平面状の底面部３とを有している。底面部３は開口部２ａと離れて形成されており、底面部３を含む仮想平面と円形の開口部２ａ（開口部の縁部）を含む仮想平面とが所定角度θ（図３参照）をなして交わる（このことを、以下では、「開口部２ａが底面部３に対して傾斜している」または「底面部３が開口部２ａに対して傾斜している」ともいう）よう構成されている。フランジ４は、開口部２ａの外周縁部から外側に延出するように形成されている。本例では、開口部２ａの外周付近に強度増加のための厚肉部２ｂが形成されている。なお、側面部２に模様等を形成している若干の凹凸が設けられてあってもよい。
【００２１】
食品容器Ｆは、例えば、容器本体１に内容物Ｍが入れられた状態で、フランジ４の表面に接着等によって取り付けられて開口部２ａを塞ぐシール状の蓋５（図２（Ｂ）参照）をさらに備えて、商品として販売される。シール状の蓋５には、フランジ４より外側へはみ出した部分（図示せず）が設けられ、このはみ出した部分を手でつかんで内側方向へ引っ張ることにより蓋５を剥がす（取り外す）ことができる。この商品の購入者は、蓋５を剥がして、図１に示すように、例えばテーブル１０の上に置いて内容物Ｍを手で取って食べる。この際、開口部２ａが底面部３に対して傾斜しているので、食べる人が、開口部２ａの傾斜した開口面を自分の方に向けることで、前方（例えば図３の矢印ａの方向）から内容物Ｍを視認しやすく、かつ取りやすい。ここで、開口部２ａが底面部３に対して傾斜している角度θ（図３参照）は、本例では３０度としている。この角度θは、内容物Ｍの視認性及び取りやすさの観点から、３０度または略３０度が適当と考えられる。
【００２２】
また、底面部３が開口部２ａに対して傾斜して設けられており、外径形状に方向性があるので、人が商品を手でつかむだけで商品の向きを知ることができる。よって、人が手に取って複数の商品の箱詰めを行う際に、視覚に頼らなくても底面部３の感触を目安として商品の向きを把握することができ、例えば、同じ向き（あるいは、決められた異なる向き）で複数の商品を箱に詰めることが容易にできる。
【００２３】
また、蓋５を不透明にしても、容器本体１を透明または半透明の樹脂で形成することにより、例えば後方斜め上方（例えば図３の矢印ｂの方向）からでも内容物Ｍを見ることができる。
【００２４】
また、底面部３が開口部２ａに対して傾斜しているので、開口部２ａが真上を向くようにして（蓋５が水平となる状態にして）商品をテーブル１０に置いたときに、不安定となり、最終の姿勢（底面部３がテーブル１０の表面に着座した状態）となって安定するまで揺れ動くので、視覚的に面白い。
【００２５】
また、容器本体１が仮に半球状であれば、最下部を外から押すとへこみやすいが、開口部２ａに対して傾斜した底面部３を設けているのでへこみにくい。
【００２６】
次に、図３は、図１に示す食品容器Ｆの他の使用例を示す側面図である。
【００２７】
前述のように、蓋５を外して内容物Ｍを食べた後、図３に示すように、テーブル１０上に置いた容器本体１に、他のゼリー状の食品等の固形物Ｎ１や液状の食品等の液状物Ｎ２を収容することができる。また、固形物Ｎ１や液状物Ｎ２として、食品に限らず他の物品や液状物等を収容することにより、ディスプレイ（装飾等）の効果を生じさせることができる。
【００２８】
なお、本実施形態において、図３の二点鎖線で示すように、底面部３に、外側（下方）へ突出する突出部３ａを３個以上設けてもよい。この場合、例えば、各突出部３ａの突出量（突出長さ）を等しくして、各突出部３ａの先端（下端）がテーブル１０の表面に均等に接するように構成すれば、食品容器Ｆをテーブル１０上に安定して置くことができる。また、テーブル１０に柔らかい布等のテーブルクロス等がかけられてある場合には、突出部３ａがテーブルクロス等の表面にめり込んで食品容器Ｆが安定しやすくなる。
【００２９】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００３０】
本考案は、内容物を視認しやすく、かつ取りやすい食品容器等として有用である。
【符号の説明】
【００３１】
Ｆ  食品容器
Ｍ  内容物
１  容器本体
２  側面部
２ａ  開口部
３  底面部
３ａ  突出部
４  フランジ
５  蓋
【図１】
0003219109.tif 000003
【図２】
0003219109.tif 000004
【図３】
0003219109.tif 000005